(57)【要約】追加のユーザにより決定されるコンテンツと一体にされるよう適応される所定のコンテンツを有する書換え可能記憶媒体を記載する。記憶媒体は、所定のコンテンツを有する第１の部分と、ユーザにより決定されるコンテンツを追加するための第２の部分とを有し、第１の部分における所定のコンテンツは、第２の部分へのリンクを有する。これにより、ユーザは、所定のコンテンツと一体の部分となる個人的なコンテンツを追加することによって記憶媒体上の所定のコンテンツをカスタマイズすることが可能である。更に、ユーザは、ユーザが訪れる各カテゴリに対して特定の注釈及びコメントを作成することができ、接続は、ダミーリンクによって形成される。本発明では、ユーザ自身のコンテンツは、ディスクの公開された部分と一体にされ、それにより、容易にパーソナライズされるガイドブックが与えられる。一般的には、ユーザは、幾らかの所定のコンテンツを有するディスクコンテンツを購入し、これらの所定のコンテンツは、ユーザ自身のコンテンツによってシームレスな方法で充実されることが可能である。
2007504587.tif 000002
【特許請求の範囲】
【請求項１】
追加のユーザにより決定されるコンテンツと一体にされるよう適応される所定のコンテンツを有する書換え可能記憶媒体であって、
前記所定のコンテンツを有する第１の部分と、
前記ユーザにより決定されるコンテンツを追加するための第２の部分と、
を有し、
前記第１の部分における前記所定のコンテンツは、前記第２の部分へのリンクを有する書換え可能記録媒体。
【請求項２】
前記第２の部分は、交換可能な所定のダミーコンテンツを有し、
前記第１の部分における前記所定のコンテンツは、前記所定のダミーコンテンツへのリンクを有する請求項１記載の書換え可能記憶媒体。
【請求項３】
前記書換え可能記憶媒体は、観光場所へのユーザ固有チケットであり、
前記第１の部分における前記所定のコンテンツは、該観光場所に固有の情報を有する請求項１又は２記載の書換え可能記憶媒体。
【請求項４】
前記記憶媒体は、ＳＦＦＯ（スモールフォームファクタ光学ディスク）である請求項１乃至３のうちいずれか一項記載の書換え可能記憶媒体。
【請求項５】
前記記憶媒体は、ＲＯＭ部分とＲＷ部分をそれぞれ有するハイブリッドディスクであり、
前記所定のコンテンツを有する前記第１の部分は、前記ＲＯＭ部分であり、
前記ユーザにより決定されるコンテンツを追加するための前記第２の部分は、前記ＲＷ部分である請求項１乃至４のうちいずれか一項記載の書換え可能媒体。
【請求項６】
前記記憶媒体の前記第２の部分は更に、リダイレクションテーブルを有し、
前記所定のコンテンツと前記第２の部分との間の前記リンクは、前記第１の部分における前記所定のコンテンツから前記リダイレクションテーブルへの第１のリンクと、前記リダイレクションテーブルから前記第２の部分への第２のリンクとを有する請求項５記載の書換え可能記憶媒体。
【請求項７】
前記第１の部分における前記所定のコンテンツは、ＸＭＬファイルであり、
前記第１の部分における前記所定のコンテンツと前記第２の部分との間の前記リンクは、前記ＸＭＬファイルに埋め込みされるＵＲＬである請求項１乃至６のうちいずれか一項記載の書換え可能記憶媒体。
【請求項８】
請求項１乃至７のうちいずれか一項記載の書換え可能記憶媒体を取り扱う機器であって、
前記記憶媒体の前記第１の部分内に格納された前記所定のコンテンツを読出しする手段と、
前記所定のコンテンツをユーザに提示する手段と、
ユーザからの入力を受信する手段と、
ユーザによって決定されるデータを受信する手段と、
前記ユーザによって決定されるデータを前記記憶媒体の前記第２の部分内に格納する手段と、
を有する機器。
【請求項９】
前記機器は、携帯可能な装置である請求項８記載の機器。
【請求項１０】
記憶媒体上に格納された後に追加のユーザによって決定されるコンテンツと一体にされるよう適応される所定のコンテンツを記述するデータ信号であって、
前記所定のコンテンツは、前記記憶媒体の第１の部分上に位置付けられるよう適応され、また、前記ユーザによって決定されるコンテンツを追加するための前記記憶媒体の第２の部分へのリンクを有する、データ信号。
【発明の詳細な説明】
【技術分野】
【０００１】
本発明は、ユーザにより決定される追加コンテンツと一体にされるよう適応される所定のコンテンツを有する書換え可能記憶媒体に係る。本発明は更に、書換え可能記憶媒体を取り扱う機器に係る。
【背景技術】
【０００２】
記憶媒体は、様々な用途に用いることが可能であり、今日では、多数の様々なタイプの記憶媒体が市場に存在する。例えば、ＤＶＤ、ＣＤ、メモリカード等である。
【０００３】
ポータブルブルーディスクとも呼ばれるＳＦＦＯ（スモールフォームファクタ光学ディスク）は、携帯可能で高記憶容量及び低費用形式として特徴付けられる。ＳＦＦＯが使用される用途のうちの１つには、例えば、テーマパーク又は美術館に入るためのディスクチケットがある。
【０００４】
一般的に、様々なタイプの記憶媒体が使用される機会が増えることによって、以前に生成され且つ以前に格納された記憶媒体読出し専用コンテンツをユーザによって決定されたコンテンツと統合して一体にすること可能とする必要性が生じている。
【０００５】
特許文献１は、ディスプレイ上の写真の特定の一部が、特定のコンテンツにリンク付けられるＰＣ環境を記載する。これにより、特定のコンテンツが選択されると、関連するコンテンツがユーザに提示される。ここでは、リンクは、ディスプレイ領域をユーザによって決定されるコンテンツにリンク付けることによって生成される。しかし、ユーザによって決定されるソフトウェアを読出し専用コンテンツに統合して一体にする方法は記載されていない。更に、コンテンツは、画像しか有することができない。
【特許文献１】米国特許出願番号第２００２／０１４０９８８号
【発明の開示】
【発明が解決しようとする課題】
【０００６】
本発明は、上述の問題に対する解決策を提供することを目的とする。
【課題を解決するための手段】
【０００７】
このことは、追加のユーザにより決定されるコンテンツと一体にされるよう適応される所定のコンテンツを有する書換え可能記憶媒体であって、所定のコンテンツを有する第１の部分と、ユーザにより決定されるコンテンツを追加するための第２の部分とを有し、第１の部分における所定のコンテンツは、第２の部分へのリンクを有する書換え可能記録媒体を提供することによって達成される。
【０００８】
これにより、ユーザは、所定のコンテンツと一体の部分となる個人的なコンテンツを追加することによって記憶媒体上の所定のコンテンツをカスタマイズすることが可能である。更に、ユーザは、例えば、テーマパークにおいてユーザが訪れる各景色、美術館においてユーザが訪れる各展示品等である、ユーザが訪れる各カテゴリに対して特定の注釈及びコメントを作成することができ、接続は、ダミーリンクによって形成される。ユーザは更に、様々な場所において撮られた写真を格納することができ、また、それらの写真を対応する所定のコンテンツカテゴリにリンク付けすることが可能である。更に、ユーザは、パーク又は美術館に関する追加の情報をダウンロードして、それを、対応するコンテンツカテゴリにリンク付けすることが可能である。ユーザの個人コンテンツではなく所定のコンテンツのみ関心がある一部の人々にとっては、リンクを単純に無視して所定のコンテンツを非常に素早く見ることが可能である。ユーザの個人的コンテンツがこのように格納されるとそのコンテンツを保護することがより容易である。本発明では、ユーザ自身のコンテンツは、ディスクの公開された部分とシームレスに一体にされ、それにより、容易にパーソナライズされるガイドブックが与えられる。一般的には、ユーザは、幾らかの所定のコンテンツを有するディスクコンテンツを購入（ダウンロード）し、これらの所定のコンテンツは、ユーザ自身のコンテンツによってシームレスな方法で後から充実されることが可能である。
【０００９】
１つの特定な実施例では、第２の部分は、交換可能な所定のダミーコンテンツを有し、第１の部分における所定のコンテンツは、所定のダミーコンテンツへのリンクを有する。これにより、ダミーコンテンツは、ユーザがテーマパーク／美術館等でダウンロード可能なコンテンツを促進させるよう使用可能である。
【００１０】
１つの特定な実施例では、書換え可能記憶媒体は、観光場所へのユーザ固有チケットであり、第１の部分における所定のコンテンツは、該観光場所に固有の情報を有する。これは、観光名所への訪問に価値を追加する非常に賢明な方法であり、また、その観光名所のプレゼンテーションにユーザ自身の写真、音声、メモなどといったユーザに固有のコンテンツを組み込むことを可能にする。
【００１１】
１つの特定の実施例では、記憶媒体は、ＳＦＦＯ（スモールフォームファクタ光学ディスク）である。ディスクは、大量のコンテンツの為の余裕を有するディスクである携帯可能なブルーディスクとも呼ばれ、従って、ビデオといった高レベルマルチメディアコンテンツを加えるのに理想的である。
【００１２】
１つの特定の実施例では、記憶媒体は、ＲＯＭ部分とＲＷ部分をそれぞれ有するハイブリッドディスクであり、所定のコンテンツを有する第１の部分は、ＲＯＭ部分であり、ユーザにより決定されるコンテンツを追加するための第２の部分は、ＲＷ部分である。従って、削除可能なのはユーザによって決定されるコンテンツのみであって、所定のコンテンツを誤って削除してしまうことは不可能である。
【００１３】
１つの特定の実施例では、記憶媒体の第２の部分は更に、リダイレクションテーブルを有し、所定のコンテンツと第２の部分との間のリンクは、第１の部分における所定のコンテンツからリダイレクションテーブルへの第１のリンクと、リダイレクションテーブルから第２の部分への第２のリンクとを有する。所定のコンテンツとユーザによって決定されるコンテンツとの間にリンクを与えるこのリダイレクションテーブルを有することによって、所定の知識が、ユーザによって決定されるコンテンツの位置を知る必要がない。むしろ、所定の知識は、リダイレクションテーブルへのリンクを有するだけでよい。このリダイレクションテーブルは、ユーザによって決定されるコンテンツが追加されると更新され、それにより、リダイレクションテーブルは、所定のコンテンツを介してユーザによって決定されるコンテンツが要求されたとき、ユーザによって決定されるコンテンツの位置を見つけるのに使用することが可能である。
【００１４】
１つの実施例では、第１の部分における所定のコンテンツは、ＸＭＬファイルであり、第１の部分における所定のコンテンツと第２の部分との間のリンクは、ＸＭＬファイルに埋め込みされるＵＲＬである。これは、コンテンツを生成する簡単且つ高速な方法である。
【００１５】
本発明は更に、本発明の書換え可能記憶媒体を取り扱う機器に関連し、この機器は、記憶媒体の第１の部分内に格納された所定のコンテンツを読出しする手段と、所定のコンテンツをユーザに提示する手段と、ユーザからの入力を受信する手段と、ユーザによって決定されるデータを受信する手段と、ユーザによって決定されるデータを記憶媒体の第２の部分内に格納する手段とを有する。
【００１６】
この機器は、例えば、美術館又はテーマパークにおけるアトラクションに関連して位置付けられる、例えば、ＰＤＡ、移動電話機、専用装置でありうる。
【発明を実施するための最良の形態】
【００１７】
図面を参照しながら本発明の好適な実施例を以下に説明する。
【００１８】
図１では、本発明に従ってコンテンツ１０３を有する記憶媒体１０１を示す。コンテンツは、変更されるべきではない所定のコンテンツを有する第１の部分１０５を有する。所定コンテンツは、リダイレクションテーブル１０７へのリンクＲ１、Ｒ２、Ｒ３を有し、更にコンテンツ１０３は、ユーザにより決定されるコンテンツを追加するための第２の部分１０９を有する。リダイレクションテーブルは、第１の部分１０５と第２の部分１０９との間のリンクを与え、これは、矢印１→Ａ、２→Ｂ、３→Ｃとして示す。所定コンテンツ内のリンクは、１、２、及び３を指し、これらは更に記憶媒体の第２の部分における領域Ａ、Ｂ、及びＣを指す。上述したようなコンテンツ１０３を有する記憶媒体を使用することによって、追加の個人コンテンツをディスクに加えることが可能であり、これは、記憶媒体の第１の部分内に格納される所定のコンテンツの一体にされた統合部であることが可能である。これは、リダイレクションテーブルにおけるリンクによって可能である。
【００１９】
１つの特定の例では、ディスクチケットとしてＳＦＦＯディスクといった記憶媒体を用いることが可能である。テーマパーク又は美術館への来場者はそのようなディスクチケットをパスとして使用する。来場者は、チケットには、パーク又は美術館に関係する所定のコンテンツが、例えば、インタラクティブガイドの形であることが分かる。所定のコンテンツは、ビデオ、オーディオ、又はテキストの形であることが可能である。通常は、所定のコンテンツは、予め作成され、ディスク１０１上に格納される、又は、パーク／美術館のウェブサイトを介してディスクにダウンロードされることが可能である。ユーザが変更することのない所定のコンテンツは、論理的に又は物理的に読み出し専用であるべきである。
【００２０】
上述したように、来場者は、所定のコンテンツを２つの方法で入手することができる。
１．来場者は、パーク／美術館のウェブサイトにアクセスし、ウェブを介して支払いを済ませ、所定のコンテンツを自分のディスク１０１上にダウンロードする。
２．来場者は、入口においてディスク１０１を購入する。所定のコンテンツは既にディスクにロードされている。
【００２１】
ディスクは、ハイブリッドディスク又はＲＷディスクであることが可能である。ハイブリッドディスクは、読み出し専用データ記憶領域と、読出し／書込みデータ記憶領域を有する。ディスクの第１の部分１０５にある所定のコンテンツは、ディスク空間の小さな部分だけを潜在的に占有する。
【００２２】
ディスク空間の第２の部分１０９は、来場者の独自のユーザによって決定されるコンテンツを格納するよう使用されることが可能である。例えば、来場者は、パークの特定の場所で撮った写真を格納して、それを所定のコンテンツと一体にする。来場者は、自分のメモ又は注釈を美術館における特定の展示に加えることが可能である。これらの追加されるコンテンツの共通の特徴は、追加コンテンツは、所定のコンテンツとリンク付けされるということである。このことを可能とするために、コンテンツ作成時にリダイレクションテーブル１０７を指すダミーリンクが所定コンテンツに加えられている。これは、来場者がこれらのリンクを、対応するユーザ決定コンテンツにまで拡張することを可能にする。来場者が、旅を終了し、所定のコンテンツを読出し始めると、来場者は、これらの組み込まれたダミーリンクをクリックして自分のユーザ決定コンテンツに自分を案内することが可能である。例えば、ローラーコースターの説明は、「宙返りの途中のあなたの写真があります」というタイトルのついたリンクが設定されていてよい。ローラーコースターに乗る前で写真がまだ入れられていないとき、このリンクはどこにもつながらないが、写真（又は来場者が自由に決定した場所における任意の他の写真）がディスク上に格納された後、リンクは完璧にされることが可能である。リンクは、コンテンツ作成段階の間に設定される。リンクは、ディスクの所定のコンテンツ内に埋め込みされるが、１つのインダイレクション段階によって、リンクは、ＵＲＬが指し示すことのできる任意の場所を指し示すようにされることが可能である。全てのリンクは、ディスク１０１のＲＷ空間におけるリダイレクションテーブル１０７を指し示す。リダイレクションテーブル１０７は、リンクが、ＵＲＬによって記述可能な任意の宛先を指し示すことを可能にする。リダイレクションテーブル１０７は更に、予め記録された部分における幾つかのリンクが最終的には同じオブジェクトを指し示すことを可能にする。リンクがプロキシオブジェクトを指し示すことも可能である。このことは、ユーザが、パークにおけるローラーコースターに乗っている人々の一般的な写真を自分の写真と交換することを可能にする。
【００２３】
ディスク上の所定のコンテンツは、ＸＭＬファイルによって記述されることが可能であり、ダミーリンクは、ＸＭＬファイル内に埋め込みされたＵＲＬによって表現される。これらのＵＲＬは全てリダイレクションテーブル１０７を指し示す。リダイレクションテーブル１０７は、更新可能であり、リンクが任意の宛先ＵＲＬを指し示すことを可能にする。リダイレクションテーブルは更に、所定の部分における幾つかのリンクが最終的には同じオブジェクトを指し示すことを可能にする。リダイレクションテーブルは、リダイレクション機能を与えるＸＭＬ又はＨＴＭＬ文書によって実施可能である。
【００２４】
図２には、記憶媒体の書換え可能な第２の部分上に格納される様々なタイプのユーザ決定コンテンツ又はデータの例を示す。このユーザによって決定されるコンテンツは、リダイレクションテーブルを介して所定のコンテンツとリンク付けられることが可能である。記憶媒体の第２の部分１０９にユーザによって加えられる、ユーザによって決定されるコンテンツは、Ａ、Ｂ、及びＣとして示す。この例では、デジタルカメラ２０１及びインターネット２０３からの個人データの組合せが領域Ａ内に格納される。領域Ｂでは、マイクロホン２０４を用いてスピーチが格納される。領域Ｃには、パーソナルコンピュータ２０７からの、例えば、テキスト又は予め格納された動画のシーケンスであるデータが格納される。一般的に、多くの異なるタイプのデータが格納可能であり、唯一の要件は、データを獲得することを可能にし、そのデータを記憶媒体上に格納することを可能にする装置が使用されるということである。
【００２５】
図３では、本発明に従って、コンテンツ１０３を有するディスクを取り扱う為の機器３０１が示される。この機器は、以下の能力を有することが可能であるが全てが必要であるわけではない。
−ディスク１０１からデータを読出しし、ディスクにデータを書込みし、エラー検出及び補正操作等の為のドライブ３０３。
−例えば、ユーザ入力を可能にするタッチスクリーンでありうるディスプレイスクリーン３０５。
−インターネット３０９への接続３０７を確立するための受信器／送信器３０６。これにより、来場者は、パーク／美術館のウェブサイトにアクセスして、ウェブからコンテンツをダウンロードすることが可能である。機器のウェブ接続性は、有線又は無線であってもよい。ウェブコンテンツをナビゲートするために機器上にディスプレイスクリーン３０５を介して簡単なウェブブラウザも与えられる必要がある。
−来場者が、適切なコンテンツロケーションにリンク付けされる自分のコンテンツを追加することを可能にするために、簡単なリアルタイムオーサリングツールが機器によって与えられる必要があり、これは、例えば、タッチスクリーン３０５を介する又は外部に接続されるキーボードによることが可能である。
−更に機器は、ビデオ及び／又はオーディオ３１１記録ユニットとカメラ３１３機能を有しうる。
【００２６】
機器は、例えば、専用機器か、又は、ＰＤＡ、移動電話機といった上述の機能をサポート可能な他の携帯可能装置と組み合わされることが可能である。
【００２７】
図４には、それぞれ、記憶媒体の第１の部分１０５内に所定のコンテンツを加え、また、記憶媒体の第２の部分１０９にユーザによって決定されたコンテンツを加える方法を示す。４０１では、所定のコンテンツはディスク上に置かれ、これは、例えば、インターネットを介して行われるか、又は、ユーザが記憶媒体を受け取る前に予め格納されていてもよい。所定のコンテンツが最初に格納されるとき、ユーザによって決定されるコンテンツは記憶媒体上には格納されておらず、従って、所定のコンテンツ内にはダミーリンクのみが利用可能である。次に、４０３において、ユーザは、既存のコンテンツ内のダミーリンクを選択することによって、新しいコンテンツをロケーションに加える。リンクがまだどこにもつながらない場合、ユーザは、コンテンツ（例えば、メモ、オーディオ、又は画像／ビデオ）を入力することによって又はユーザがリンクをつながらせたいコンテンツのロケーションをブラウジングすることによってコンテンツを供給することが求められる。リンクが既にユーザによって決定されるコンテンツにつながる場合、このことは、オリジナルのコンテンツ内に埋め込みされて示されるか又はトラバース可能なリンクとして示されることが可能である。ユーザは更に、既存のコンテンツを新しいバージョンに置き換えるよう選択することも可能である。最後に、４０５において、リダイレクションテーブルが更新されて、所定のコンテンツが、追加されたユーザによって決定されたコンテンツに正しくリンク付けされることを確実にする。尚、上述した実施例は、本発明を説明するものであって限定するものではない。また当業者は、請求項の範囲から逸脱することなく多くの代替の実施例を設計可能であろう。請求項において括弧内に入れられる参照符号は、その請求項を限定するものとして解釈すべきではない。「有する」という用語は、請求項に記載される素子又は段階以外の素子又は段階の存在を除外するものではない。本発明は、幾つかの別個の素子を有するハードウェアと、好適にプログラムされたコンピュータによって実施可能である。幾つかの手段を列挙する装置クレームにおいて、これらの手段のうちの幾つかは１つのハードウェアアイテムとして具現化可能である。特定の手段が相互に異なる従属項に記載されるという単なる事実は、これらの手段の組合せが有利に使用できないということを示すものではない。
【００２８】
要約するに、本発明は、追加のユーザにより決定されるコンテンツと一体にされるよう適応される所定のコンテンツを有する書換え可能記憶媒体に係る。この記憶媒体は、所定のコンテンツを有する第１の部分と、ユーザによって決定されるコンテンツを追加するための第２の部分とを有し、第１の部分における所定のコンテンツは、第２の部分へのリンクを有する。
【００２９】
これにより、ユーザは、所定のコンテンツの一体にされる部分である個人的コンテンツを追加することによって記憶媒体上の所定のコンテンツをカスタマイズすることが可能である。更に、ユーザは、ユーザが訪れる各カテゴリに対して特定の注釈及びコメントを作成することが可能であり、接続は、ダミーリンクによって形成される。ユーザの個人的なコンテンツがこのように格納されるのならば、ユーザの個人的なコンテンツを保護することがより容易である。本発明では、ユーザ自身のコンテンツがディスクの公開された部分と一体にされ、それにより、簡単なパーソナライズされたガイドブックが与えられる。より一般的には、ユーザは、幾らかの予め決められたコンテンツを有するディスクコンテンツを購入し、これは、シームレスな方法でユーザの自分のコンテンツによって高められる。
【図面の簡単な説明】
【００３０】
【図１】本発明に従ってコンテンツを有する記憶媒体を示す図である。
【図２】記憶媒体の書換え可能な第２の部分上に格納される様々なタイプのユーザによって決定されるコンテンツ又はデータの例を示す図である。
【図３】本発明に従ってコンテンツを有するディスクを取り扱う機器を示す図である。
【図４】記憶媒体の第１の部分に所定のコンテンツを加え、且つ、記憶媒体の第２の部分にユーザによって決定されるコンテンツを加える方法を説明する図である。
【図１】
2007504587.tif 000003
【図２】
2007504587.tif 000004
【図３】
2007504587.tif 000005
【図４】
2007504587.tif 000006
【国際調査報告】
2007504587.tif 000007
2007504587.tif 000008
2007504587.tif 000009